(57)【要約】【課題】運搬時に花卉容器を保持する。【解決手段】花卉が収容される植木鉢１４を保持する容器保持具１０であって、植木鉢１４を収容する収容口１３が形成される保持具本体１２と、収容口１３の縁部１３ａに連なって設けられ、植木鉢１４の開口端４０に係合する係合板２９と、を有する。係合板２９は、収容口１３の縁部１３ａに連なる第１係合片３１と、第１係合片３１に連なる第２係合片３２と、を備え、植木鉢１４の開口端４０は、第１係合片３１と第２係合片３２とに挟まれて保持される。【選択図】図５
2014151954.tif 000002
【特許請求の範囲】
【請求項１】
花卉が収容される花卉容器を保持する容器保持具であって、
前記花卉容器を収容する収容口が形成される保持具本体と、
前記収容口の縁部に連なって設けられ、前記花卉容器の開口端に係合する係合板と、
を有し、
前記係合板は、前記収容口の縁部に連なる第１係合片と、前記第１係合片に連なる第２係合片と、を備え、
前記花卉容器の前記開口端は、前記第１係合片と前記第２係合片とに挟まれて保持される、容器保持具。
【請求項２】
請求項１記載の容器保持具において、
前記保持具本体は、前記収容口が形成される収容口板を備え、
前記収容口板に形成される切り込みによって、前記収容口が形成されるとともに前記収容口の内側に前記係合板が形成される、容器保持具。
【請求項３】
請求項１または２記載の容器保持具において、
前記係合板に形成される切り込みによって、前記第１係合片の内側に前記第２係合片が形成される、容器保持具。
【請求項４】
請求項１〜３のいずれか１項に記載の容器保持具において、
前記第１係合片は前記収容口の縁部から立ち上がり、前記第２係合片は前記収容口に向けて前記第１係合片から突き出る、容器保持具。
【請求項５】
請求項１〜４のいずれか１項に記載の容器保持具において、
前記収容口の縁部には対向する一対の前記係合板が設けられる、容器保持具。
【発明の詳細な説明】
【技術分野】
【０００１】
本発明は、花卉容器を保持する容器保持具に関する。
【背景技術】
【０００２】
観葉植物やフラワーアレンジメント等の花卉を販売する際には、植木鉢等の花卉容器に収容されることが一般的である(特許文献１参照)。また、購入者が販売店から花卉を持ち帰る際には、花卉容器を手提げ袋や手提げ箱等に収容することが多い。
【先行技術文献】
【特許文献】
【０００３】
【特許文献１】特開２００８−８１１６６号公報
【発明の概要】
【発明が解決しようとする課題】
【０００４】
ところで、花卉容器を手提げ袋等に収容しただけでは、持ち運ぶ際に花卉容器がずれたり倒れたりすることがあり、花卉容器内の花卉を損傷してしまうおそれがある。そこで、運搬時においては、花卉容器の移動を抑制するように花卉容器を保持することが望まれている。
【０００５】
本発明の目的は、運搬時に花卉容器を保持することにある。
【課題を解決するための手段】
【０００６】
本発明の容器保持具は、花卉が収容される花卉容器を保持する容器保持具であって、前記花卉容器を収容する収容口が形成される保持具本体と、前記収容口の縁部に連なって設けられ、前記花卉容器の開口端に係合する係合板と、を有し、前記係合板は、前記収容口の縁部に連なる第１係合片と、前記第１係合片に連なる第２係合片と、を備え、前記花卉容器の前記開口端は、前記第１係合片と前記第２係合片とに挟まれて保持される。
【発明の効果】
【０００７】
本発明によれば、花卉容器の開口端を第１係合片および第２係合片によって挟むようにしたので、保持具本体の収容口に収容される花卉容器を保持することが可能となる。これにより、運搬時に花卉容器を保持することができ、花卉容器内の花卉を保護することが可能となる。
【図面の簡単な説明】
【０００８】
【図１】本発明の一実施の形態である容器保持具の使用状態を示す斜視図である。
【図２】容器保持具の展開状態を示す展開図である。
【図３】（ａ）および（ｂ）は容器保持具の組立過程を示す斜視図である。
【図４】容器保持具の完成状態を示す斜視図である。
【図５】（ａ）および（ｂ）は容器保持具に対する植木鉢の装着手順を示す斜視図である。
【図６】（ａ）および（ｂ）は容器保持具に対する植木鉢の装着手順を示す断面図である。
【発明を実施するための形態】
【０００９】
以下、本発明の実施の形態を図面に基づいて詳細に説明する。図１は本発明の一実施の形態である容器保持具１０の使用状態を示す斜視図であり、図２は容器保持具１０の展開状態を示す展開図である。また、図３（ａ）および（ｂ）は容器保持具１０の組立過程を示す斜視図であり、図４は容器保持具１０の完成状態を示す斜視図である。図１に示すように、容器保持具１０は手提げ容器１１等に収容して使用される。容器保持具１０は直方体形状の保持具本体１２を備えており、保持具本体１２に形成される収容口１３には植木鉢（花卉容器）１４が収容されている。この容器保持具１０を使用することにより、手提げ容器１１内で植木鉢１４を所定位置に保持することができ、観葉植物等の花卉１５を保護することが可能となる。
【００１０】
図２に示すように、容器保持具１０は、所定形状に打ち抜かれたポリプロピレン等のシート材２０を用いて形成される。容器保持具１０は、略正方形状の天板（収容口板）２１を備えており、天板２１の各辺には４つの側板２２〜２５が連結されている。側板２３には略正方形状の底板２６が連結されており、底板２６の先端には挿入片２７が設けられている。また、天板２１には略半円状の切り込み２８が形成されており、この切り込み２８によって天板２１には、収容口１３が形成されるとともに収容口１３の内側に一対の係合板２９が形成されている。また、それぞれの係合板２９には略Ｕ字状の切り込み３０が形成されており、この切り込み３０によって係合板２９には外側の第１係合片３１と内側の第２係合片３２とが形成されている。
【００１１】
図３（ａ）および（ｂ）に示すように、容器保持具１０を組み立てる際には、天板２１に対して側板２２〜２５を略直角に折り曲げるとともに、天板２１に底板２６が対向するように側板２３に対して底板２６を略直角に折り曲げる。そして、容器保持具１０を直方体形状に折り曲げた後には、容器保持具１０の直方体形状を保持するため、側板２２のスリット３３に対して底板２６の挿入片２７が挿入される。続いて、図４に示すように、天板２１に連結部３４を介して連なる一対の係合板２９が、収容口１３を開口させるように上方に引き上げられる。これにより、収容口１３の縁部１３ａから一対の係合板２９が立ち上がるとともに、一対の係合板２９が互いに対向した状態となる。また、係合板２９の第１係合片３１に連結部３５を介して連なる第２係合片３２は、第１係合片３１から収容口１３に向けて突出するように押し出される。
【００１２】
図５（ａ）および（ｂ）は容器保持具１０に対する植木鉢１４の装着手順を示す斜視図であり、図６（ａ）および（ｂ）は容器保持具１０に対する植木鉢１４の装着手順を示す断面図である。なお、図６（ａ）および（ｂ）には図５（ｂ）のＡ−Ａ線に沿う断面図が示されている。図５および図６に示すように、容器保持具１０の収容口１３に向けて植木鉢１４を挿入し、植木鉢１４の内側に係合板２９の第２係合片３２が引っ掛けられる。図６に示すように、収容口１３の縁部１３ａから立ち上がる第１係合片３１と、第１係合片３１から収容口１３に向けて突出する第２係合片３２との断面形状は、下側に広がるフック状に形成されている。このように、フック状となる第１係合片３１と第２係合片３２とによって植木鉢１４の開口端４０を挟むことにより、植木鉢１４を上方から押さえ込むことができるため、容器保持具１０によって植木鉢１４を保持することが可能となる。すなわち、第２係合片３２が植木鉢１４の抜け止めとして機能することから、運搬時に手提げ容器１１が大きく傾斜した場合であっても、容器保持具１０から植木鉢１４の脱落やズレ等を防止することができ、植木鉢１４に収容される花卉１５を保護することが可能となる。
【００１３】
ここで、図６（ａ）に矢印α１で示すように、第１係合片３１は収容口１３から離れる方向に折り曲げられるため、図６（ｂ）に矢印α２で示すように、第１係合片３１はスプリングバックによって植木鉢１４の外周面４１に押し当てられる。同様に、図６（ａ）に矢印β１で示すように、第２係合片３２は収容口１３に近づく方向に折り曲げられるため、図６（ｂ）に矢印β２で示すように、第２係合片３２はスプリングバックによって植木鉢１４の内周面４２に押し当てられる。このように、容器保持具１０の係合板２９は植木鉢１４に対して密着するため、この点からも植木鉢１４を確実に保持することが可能となる。特に、樹脂材料を用いて容器保持具１０を形成することにより、大きなスプリングバックによって容器保持具１０を植木鉢１４に密着させることができるため、植木鉢１４を良好に保持することが可能となる。
【００１４】
また、図５に示すように、抜き型によって第１係合片３１の端部が丸められることから、収容口１３には突起部４３が残されている。しかしながら、樹脂材料によって形成される突起部４３は柔軟性を有している。したがって、植木鉢１４を収容する際には植木鉢１４と共に突起部４３が保持具本体１２の内側に押し込まれ、突起部４３によって植木鉢１４の挿入が阻害されることはない。なお、植木鉢１４と突起部４３との接触を回避するため、収容部の縁部１３ａから突起部４３を予め除去しても良い。
【００１５】
これまで説明したように、容器保持具１０を製造する際には、所定形状に打ち抜かれたシート材２０を折り曲げるようにしたので、三次元形状の金型等を準備する必要がなく、容器保持具１０の製造コストを大幅に抑えることが可能となる。また、容器保持具１０に植木鉢１４を装着する際には、保持具本体１２の収容口１３に植木鉢１４を収容するとともに、植木鉢１４の開口端４０にフック状の係合板２９を引っ掛けるだけの作業で済むため、植木鉢１４を装着する際の作業コストを抑制することが可能となる。
【００１６】
本発明は前記実施の形態に限定されるものではなく、その要旨を逸脱しない範囲で種々変更可能であることはいうまでもない。図示する場合には、容器保持具１０の保持具本体１２が直方体形状に形成されているが、これに限られることはなく、保持具本体１２を円柱形状や多角柱形状等に形成しても良い。また、図示する場合には、保持具本体１２に円形の収容口１３が形成されているが、これに限られることはなく、花卉容器の形状に合わせて収容口１３を四角形や多角形に形成しても良い。さらに、図示する場合には、収容口１３の縁部１３ａに連なる一対の係合板２９を設けているが、これに限られることはなく、１つの係合板２９を設けても良く、３つ以上の係合板２９を設けても良い。
【００１７】
前述の説明では、天板２１に略半円状の切り込み２８を形成するとともに、係合板２９に略Ｕ字状の切り込み３０を形成しているが、切り込み２８，３０の形状としては略半円状や略Ｕ字状に限られることはなく、他の形状の切り込みを形成しても良い。また、天板２１にミシン目を形成することにより、このミシン目を用いて天板２１に収容口１３を形成するとともに収容口１３の内側に一対の係合板２９を形成しても良い。また、係合板２９にミシン目を形成することにより、このミシン目を用いて係合板２９に外側の第１係合片３１と内側の第２係合片３２とを区画しても良い。
【００１８】
前述の説明では、容器保持具１０を製造する際の材料として、ポリプロピレン等の樹脂材料を挙げているが、これに限られることはない。例えば、ポリプロピレン以外の樹脂材料を用いて容器保持具１０を製造しても良く、段ボールを用いて容器保持具１０を製造しても良い。また、ボール紙やコート紙等の板紙（厚紙）を用いて容器保持具１０を製造しても良く、折り曲げ可能な金属板を用いて容器保持具１０を製造しても良い。なお、シート材２０の厚みとしては、シート材２０の材料によって異なるが、折り曲げ可能な厚みであれば良い。
【００１９】
前述の説明では、容器保持具１０を手提げ容器１１に収容しているが、これに限られることはなく、容器保持具１０を他の形状の袋、箱、運搬ケース等に収容しても良い。さらに、前述の説明では、容器保持具１０を手提げ容器１１に収容しているが、これに限られることはなく、容器保持具１０に対して把持部を設けることにより、容器保持具１０と手提げ容器１１とを一体に形成しても良い。
【００２０】
前述の説明では、花卉容器として植木鉢１４を使用しているが、これに限られることはなく、花瓶、コップ、コーヒーカップ等を花卉容器として使用しても良い。また、花卉１５を収容する花卉容器の形状としては、図示するテーパ形状に限られることはなく、円筒形状や開口端に向けて細くなる逆テーパ形状の花卉容器であっても本発明を有効に適用することが可能である。なお、収容口１３に比べて小径の花卉容器を用いる場合には、係合板２９を立ち上げる際の引き上げ量を抑えることが望ましい。また、前述の説明では、花卉１５として観葉植物を挙げているが、これに限られることはなく、花束やフラワーアレンジメント等を花卉１５として使用しても良い。
【符号の説明】
【００２１】
１０…容器保持具、１１…手提げ容器、１２…保持具本体、１３…収容口、１３ａ…縁部、１４…植木鉢（花卉容器）、１５…花卉、２０…シート材、２１…天板（収容口板）、２２〜２５…側板、２６…底板、２７…挿入片、２８…切り込み、２９…係合板、３０…切り込み、３１…第１係合片、３２…第２係合片、３３…スリット、３４，３５…連結部、４０…開口端、４１…外周面、４２…内周面、４３…突起部
【図１】
2014151954.tif 000003
【図２】
2014151954.tif 000004
【図３】
2014151954.tif 000005
【図４】
2014151954.tif 000006
【図５】
2014151954.tif 000007
【図６】
2014151954.tif 000008